(57)【特許請求の範囲】
【請求項１】
内底面に複数の固定接点が植設されたケースと、このケース内に回転及び移動可能に収納された操作体と、この操作体に装着され上記固定接点に接離する可動接点と、上記操作体を付勢するばねからなり、このばねを、巻回部の両端から一対の延出部となる腕部が延出した捩りコイルばねとし、このばねの巻回部を上記ケース中間に保持し、上記両延出部となる腕部先端を上記ケース側方に弾接させ、上記両延出部となる腕部中間に上記操作体の両端を弾接させると共に、上記可動接点を、円弧部及びこの円弧部両端からその外周に沿って延出する一対の腕部から形成し、この可動接点と上記ばねとが平面視にて互いに離間され、上記可動接点の円弧部中間部を上記操作体裏面に装着させ、上記腕部がやや撓んだ状態で上記ケース内底面または固定接点に弾接した多方向操作スイッチ。
【請求項２】
ケース上面をカバーで覆うと共に、このカバー及び操作体に互いに嵌合する凹凸部を設けた請求項１記載の多方向操作スイッチ。
【発明の詳細な説明】
【０００１】
【発明の属する技術分野】
本発明は、携帯電話やビデオカメラ等の各種電子機器に使用される多方向操作スイッチに関するものである。
【０００２】
【従来の技術】
近年、携帯電話やビデオカメラ等の各種電子機器の高機能化が進む中、これらの操作用スイッチにおいても、回転操作や押圧操作等の操作形式の異なる様々なスイッチを組合わせ、一つの操作つまみで機器の複合した操作を行うものが増えている。
【０００３】
例えば、携帯電話等においては、機器内に回転操作スイッチと押圧操作スイッチを近接して配置し、操作つまみの回転操作によって回転操作スイッチを操作して電話番号を選択した後、同じ操作つまみを回転操作とは異なる方向へ押圧操作し、これによって押圧操作スイッチを操作して、選択した電話番号へ発信するもの等がある。
【０００４】
【発明が解決しようとする課題】
しかしながら上記従来の操作方式においては、回転操作や押圧操作等の操作形式の異なる複数のスイッチを組合わせ、これらを一つの操作つまみで操作しているため、各々の部品の配置や構成が制限されると共に、全体のスペースが大きくなり、小型化を図ることが困難であるという課題があった。
【０００５】
本発明は、このような従来の課題を解決するものであり、簡易な構成で、小型化の可能な多方向操作スイッチを提供することを目的とする。
【０００６】
【課題を解決するための手段】
上記目的を達成するために本発明は、以下の構成を有するものである。
【０００７】
本発明の請求項１に記載の発明は、内底面に複数の固定接点が植設されたケースと、このケース内に回転及び移動可能に収納された操作体と、この操作体に装着され上記固定接点に接離する可動接点と、上記操作体を付勢するばねからなり、このばねを、巻回部の両端から一対の延出部となる腕部が延出した捩りコイルばねとし、このばねの巻回部を上記ケース中間に保持し、上記両延出部となる腕部先端を上記ケース側方に弾接させ、上記両延出部となる腕部中間に上記操作体の両端を弾接させると共に、上記可動接点を、円弧部及びこの円弧部両端からその外周に沿って延出する一対の腕部から形成し、この可動接点と上記ばねとが平面視にて互いに離間され、上記可動接点の円弧部中間部を上記操作体裏面に装着させ、上記腕部がやや撓んだ状態で上記ケース内底面または固定接点に弾接した多方向操作スイッチを構成したものであり、一つのスイッチで回転及び押圧操作が可能になると共に、固定接点に接離する可動接点の一対の腕部を、操作体の回転方向に円弧状に延出して形成することによって、固定接点への確実な弾接を行うことができ、簡易な構成で小型化が図れる多方向操作スイッチを得ることができるという作用を有する。
さらに、ケース内に可動接点を装着した操作体やばね等を、順次積上げ式で組立てることができるため、組立易く、組立の自動化も容易に図ることができるという作用を有する。
【０００９】
請求項２に記載の発明は、請求項１記載の発明において、ケース上面をカバーで覆うと共に、このカバー及び操作体に互いに嵌合する凹凸部を設けたものであり、カバーと操作体間の凹凸部によって、節度感のある操作感触を得ることができるという作用を有する。
【００１０】
【発明の実施の形態】
以下、本発明の実施の形態について、図１〜図４を用いて説明する。
【００１１】
（実施の形態１）
図１は本発明の一実施の形態による多方向操作スイッチの要部断面図、図２は同分解斜視図であり、同図において、１は上面開口で絶縁樹脂製のケースで、このケース１の内底面には、銅合金等に貴金属めっきが施された複数の固定接点２Ａ，２Ｂ，２Ｃ，２Ｄが植設されると共に、下方中間には突出した円柱状の軸部１Ａが形成されている。
【００１２】
そして、３は同じく絶縁樹脂製の操作体で、操作部３Ａがケース１上方から突出すると共に、下方中間には長孔３Ｂが設けられ、この長孔３Ｂに軸部１Ａが挿入されて、操作体３がケース１内に左右方向に回転及び上下方向に移動可能に収納されている。
【００１３】
また、４は銅合金等の弾性薄板金属に貴金属めっきが施された略Ｗ字状の可動接点で、円弧部４Ａ中間部が操作体３裏面に装着されると共に、この円弧部４Ａ両端からその外周に沿って延出する一対の腕部４Ｂ，４Ｃが、やや撓んだ状態で固定接点２Ａに弾接している。
【００１４】
そして、５は鋼線等の捩りコイル状のばねで、中央の巻回部５Ａがケース１中間の軸部１Ａ外周に保持されると共に、この両端から延出した一対の腕部５Ｂが下方へやや撓んだ状態で、先端がケース１左右の側壁の段部１Ｂに弾接し、中間が操作体３両下端の押圧部３Ｃに弾接することによって、操作体３が上方に付勢され、長孔３Ｂの下方が軸部１Ａ外周下方に弾接している。
【００１５】
さらに、６はステンレス等のカバーで、このカバー６がケース１上面を覆うと共に、カバー６下面には操作体３上面の凹部３Ｄに嵌合する凸部６Ａが設けられて、多方向操作スイッチが構成されている。
【００１６】
以上の構成において、図１の中立位置から、操作体３の操作部３Ａを左方向へ回転操作すると、図３の要部断面図に示すように、操作体３左下端の押圧部３Ｃがばね５の左側の腕部５Ｂを押圧し撓めながら、操作体３が軸部１Ａを支点として回転し、この裏面に装着された可動接点４がケース１内底面を弾接摺動して、腕部４Ｂ先端が固定接点２Ａに、腕部４Ｃ先端が固定接点２Ｂに各々弾接し、可動接点４を介した固定接点２Ａと２Ｂの電気的接続が行われる。
【００１７】
なお、この時、可動接点４は略Ｗ字状に形成され、一対の腕部４Ｂ，４Ｃが円弧部４Ａ両端からその外周に沿って円弧状に延出し、所定の長さをもって撓んでいるため、所定の力で固定接点への確実な弾接を行うことができる。
【００１８】
そして、操作部３Ａへの操作力を解除すると、撓められたばね５の左側の腕部５Ｂに左下端の押圧部３Ｃを押圧されて、操作体３が図１の中立位置に復帰する。
【００１９】
また、操作部３Ａを右方向へ回転操作した場合には、右下端の押圧部３Ｃがばね５の右側の腕部５Ｂを押圧しながら、操作体３が右方向へ回転し、可動接点４の腕部４Ｂ先端が固定接点２Ｃに、腕部４Ｃ先端が固定接点２Ａに各々弾接する。
【００２０】
そして、例えば、このスイッチを携帯電話等に用いた場合には、以上のような回転操作による、複数の固定接点の電気的接離によって電話番号の選択等が行われる。
【００２１】
さらに、操作部３Ａを下方向へ押圧操作すると、図４の要部断面図に示すように、左右両下端の押圧部３Ｃがばね５の左右の腕部５Ｂを押圧し撓めながら、ケース１の軸部１Ａに長孔３Ｂが挿入された操作体３が下方向へ移動し、可動接点４の腕部４Ｃ先端が固定接点２Ａに、腕部４Ｂ先端が固定接点２Ｄに各々弾接して、例えば、上記の回転操作によって選択した電話番号への発信等が行われる。
【００２２】
そして、操作部３Ａへの操作力を解除すると、撓められたばね５の左右の腕部５Ｂに左右両下端の押圧部３Ｃを押圧されて、操作体３が図１の中立位置に復帰する。
【００２３】
なお、この時、図２に示したように、カバー６下面には操作体３上面の凹部３Ｄに嵌合する凸部６Ａが設けられているため、操作部３Ａを中立位置から下方向へ押圧操作した際、中立位置と押圧操作時の操作力に差が生じ、節度感のある操作感触が得られる。
【００２４】
このように本実施の形態によれば、可動接点４を円弧部４Ａ及びこの円弧部４Ａ両端からその外周に沿って延出する一対の腕部４Ｂ，４Ｃから形成し、腕部４Ｂ，４Ｃをやや撓んだ状態で複数の固定接点に弾接させて多方向操作スイッチを構成することによって、一つのスイッチで回転及び押圧操作が可能になると共に、円弧状に延出した腕部４Ｂ，４Ｃによって、固定接点への確実な弾接を行うことができ、簡易な構成で小型化が図れる多方向操作スイッチを得ることができるものである。
【００２５】
そして、ばね５を、巻回部５Ａの両端から一対の腕部５Ｂが延出した捩りコイルばねとし、このばね５の巻回部５Ａをケース１中間に保持すると共に、両腕部５Ｂ先端をケース１側方に弾接させ、両腕部５Ｂ中間に操作体３両下端の押圧部３Ｃを弾接させることによって、複数の固定接点を植設したケース１内に、可動接点４を装着した操作体３を収納し、この上に捩りコイルばね５をやや撓めて組立て、これをカバー６で覆う、所謂積上げ式での組立が行えるため、組立易く、組立の自動化も容易なものとすることができる。
【００２６】
さらに、カバー６下面と操作体３上面に、互いに嵌合する凸部６Ａと凹部３Ｄを設けることによって、押圧操作時の節度感のある操作感触を得ることができる。
【００２７】
なお、以上の説明では、操作体３の押圧操作の際にのみ節度感を生じさせる構成として説明したが、凹部３Ｄを左右方向へも窪んだ形状とすることによって、回転操作の際にも節度感のある操作感触を得ることが可能である。
【００２８】
また、回転及び押圧操作によって、複数の固定接点の電気的接続を行う構成として説明したが、可動接点４の腕部４Ｂ，４Ｃ先端を固定接点からケース１内底面へ弾接摺動させ、回転及び押圧操作によって固定接点が電気的に切断される構成としてもよい。
【００２９】
【発明の効果】
以上のように本発明によれば、固定接点への確実な弾接を行うことができ、簡易な構成で小型化が図れる多方向操作スイッチを得ることができるという有利な効果が得られる。
【図面の簡単な説明】
【図１】本発明の一実施の形態による多方向操作スイッチの要部断面図
【図２】同分解斜視図
【図３】同回転操作時の要部断面図
【図４】同押圧操作時の要部断面図
【符号の説明】
１  ケース
１Ａ  軸部
１Ｂ  段部
２Ａ，２Ｂ，２Ｃ，２Ｄ  固定接点
３  操作体
３Ａ  操作部
３Ｂ  長孔
３Ｃ  押圧部
３Ｄ  凹部
４  可動接点
４Ａ  円弧部
４Ｂ，４Ｃ  腕部
５  ばね
５Ａ  巻回部
５Ｂ  腕部
６  カバー
６Ａ  凸部
【図１】
0004106924.tif 000002
【図２】
0004106924.tif 000003
【図３】
0004106924.tif 000004
【図４】
0004106924.tif 000005